(57)【要約】【課題】冷蔵庫本体の背壁部に、冷却器及び送風ファン並びに吹出しダクトを配設したものにあって、ダクト構成を簡単に済ませることができると共に、高い冷却効率を得ることができ、しかもユーザに圧迫感を与えることなく庫内の収納容積を十分に確保する。【解決手段】冷蔵室２３の最下段のチルド室３０の背壁部に、冷蔵室用冷却器室４０を設け、冷蔵室用冷却器３２を収容する。冷蔵室２３の背壁部に、冷蔵室用冷却器室４０から上方に延びる吹出しダクト３８を設ける。野菜室２４の背壁部に、送風ダクト４２及び吸込みダクト４３を重ねるように設け、送風ダクト４２内に送風ファン３９を設ける。【選択図】図３
2010223509.tif 000002
【特許請求の範囲】
【請求項１】
冷蔵室を有する冷蔵庫本体の背壁部に、冷却器と、この冷却器により生成された冷気を吹出しダクトを通して前記冷蔵室内に供給するための送風ファンとを備えた冷蔵庫において、
前記送風ファンは、前記冷却器よりも風上であって、且つ該冷却器よりも下方に配置されていることを特徴とする冷蔵庫。
【請求項２】
前記冷却器の下方には、前記送風ファンよりも上方に位置して、当該冷却器からの除霜水を受ける水受部が設けられていることを特徴とする請求項１記載の冷蔵庫。
【請求項３】
前記送風ファンは、前記冷却器よりも前方に配置されていることを特徴とする請求項１又は２記載の冷蔵庫。
【請求項４】
前記冷蔵庫本体内には、上部に位置して、最下段にチルド室を有する冷蔵室が設けられ、その冷蔵室の下部に位置して、野菜室が設けられていると共に、
前記冷却器は、前記チルド室の後方に配設され、前記送風ファンは、前記野菜室の後方に配設されていることを特徴とする請求項１ないし３のいずれかに記載の冷蔵庫。
【請求項５】
前記チルド室及び野菜室は、共に引出し式の貯蔵容器を備えて構成されていることを特徴とする請求項４記載の冷蔵庫。
【請求項６】
前記野菜室の背壁部には、前記チルド室の底部から、前記送風ファン部分に冷気を吸込むための吸込みダクトが設けられていると共に、該送風ファンからの風を前記冷却器部分に導くための送風ダクトが設けられ、それら吸込みダクト及び送風ダクトは、前後に二重に重なるように配置されていることを特徴とする請求項４又は５記載の冷蔵庫。
【請求項７】
前記吸込みダクトは、前記送風ファンよりも下方まで延び、その底部には、開口部が設けられていることを特徴とする請求項６記載の冷蔵庫。
【発明の詳細な説明】
【技術分野】
【０００１】
本発明は、冷蔵室を有する冷蔵庫本体の背壁部に、冷却器と、この冷却器により生成された冷気を吹出しダクトを通して前記冷蔵室内に供給するための送風ファンとを備えた冷蔵庫に関する。
【背景技術】
【０００２】
近年、家庭用の冷蔵庫にあっては、図５に示すように、冷蔵庫本体１内に、上から順に、冷蔵室２、野菜室３、冷凍室４を設けると共に、冷蔵室用と冷凍室用との２個の冷却器５，６を備えたものが供されている（例えば、特許文献１参照）。このものでは、冷蔵室２の背壁部の上部寄り部位に、冷蔵室用冷却器５を収容した冷却器室７が設けられていると共に、その冷却器室７の上部（冷蔵室２の最上部）に、冷気を冷蔵室２及び野菜室３に循環供給するための送風ファン８が設けられている。
【０００３】
この場合、冷蔵庫本体１の背壁部には、下端が野菜室３で開口し前記冷却器室７に向けて上方に延びる戻り（吸込み）ダクト９が設けられていると共に、送風ファン８部分から左右に分かれて冷却器室７及び戻りダクト９の左右部位を下方に延びる冷気供給ダクト１０が設けられている。この冷気供給ダクト１０には、冷蔵室２及び野菜室３内で開口する複数個の吹出口１０ａが設けられている。また、冷蔵室２の上壁部にも、送風ファン８部分から前方に延びる上面ダクト１１が設けられている。
【０００４】
これにて、図５に矢印（実線及び破線）で示すように、送風ファン８の駆動により、野菜室３内の空気が戻りダクト９から吸込まれ、冷却器室７内の冷却器５により冷却され、送風ファン８を通って冷気供給ダクト１０及び上面ダクト１１に供給される。そして、その冷気が、上面ダクト１１の前端の吹出口１１ａから冷蔵室２内に供給されると共に、冷気供給ダクト１０を通って複数個の吹出口１０ａから冷蔵室２内さらには野菜室３内に供給されるようになっている。
【０００５】
また、上記した特許文献１に開示された冷蔵庫とは、冷却器及び送風ファンの配置が異なるものとして、例えば特許文献２に示された構成の冷蔵庫がある。この特許文献２の構成では、図６に示すように、冷蔵室２の背壁部に、冷却器５を有する冷却器室１２が設けられ、その冷却器室１２から上方に延びる冷気供給ダクト１３が設けられる。そして、冷却器室１２の前部に、下端部で冷却器室１２につながる送風機ケース１４が設けられ、送風機ケース１４内に送風ファン１５が配設されている。これにて、図に矢印で示すように、送風ファン１５の駆動により、冷蔵室２内の空気が送風機ケース１４内に吸込まれ、冷却器室１２内の冷却器５を通って冷却され、冷気供給ダクト１３を通して冷蔵室２内に供給されるという循環を繰返すようになっている。
【先行技術文献】
【特許文献】
【０００６】
【特許文献１】特許第３５９４５４５号公報
【特許文献２】特開２００１−２７４６９号公報
【発明の概要】
【発明が解決しようとする課題】
【０００７】
しかしながら、上記従来構成では、次のような欠点がある。即ち、図５に示した特許文献１の構成では、冷蔵室２の背壁部の最上部に、送風ファン８をいわば無理やりに配設しており、戻りダクト９、冷却器室７、冷気供給ダクト１０につながる冷気通路が、折り返された（屈曲した）形態となり、十分な送風量が得られなくなる不具合があった。この場合、十分な送風量を得るためには、ダクト全体が大形化してしまい、その分だけ冷蔵室２内の容積が小さくなって食品の収納性を損なわせる傾向にあった。尚、送風ファン８が冷却器５の風下に配置されているが、送風ファン８のモータは発熱部品であるため、冷却器５で一旦冷却された空気が送風ファン８を通る際に暖められてしまうことになり、エネルギーのロスとなる不具合もあった。
【０００８】
また、図６に示した特許文献２の構成では、冷蔵室２の背壁部に、冷却器室１２と送風機ケース１４とが前後に二重に重なった形態で配設されるので、この部分の前後方向の厚みが大きくなって冷蔵室２の背壁がかなり前方に出っ張った形態となる。そのため、ユーザが扉を開けて冷蔵室２内部を見た際に、圧迫感があって、冷蔵室２の奥行き方向の空間がかなり狭く感じられる不具合があった。
【０００９】
本発明は上記事情に鑑みてなされたもので、その目的は、冷蔵庫本体の背壁部に、冷却器及び送風ファン並びに吹出しダクトを配設したものにあって、ダクト構成を簡単に済ませることができると共に、高い冷却効率を得ることができ、しかもユーザに圧迫感を与えることなく庫内の収納容積を十分に確保することができる冷蔵庫を提供するにある。
【課題を解決するための手段】
【００１０】
上記目的を達成するために、本発明の冷蔵庫は、冷蔵室を有する冷蔵庫本体の背壁部に、冷却器と、この冷却器により生成された冷気を吹出しダクトを通して前記冷蔵室内に供給するための送風ファンとを備えたものにあって、前記送風ファンは、前記冷却器よりも風上であって、且つ該冷却器よりも下方に配置されているところに特徴を有する。
【００１１】
本発明においては、送風ファンの駆動により生成された風が、冷却器部分を通って冷気となり、その冷気が吹出しダクトを通して冷蔵室内に供給されるようになる。この場合、冷却器の上方に吹出しダクトを配置することが可能となるので、吹出しダクトを、屈曲のないストレートな形状とすることができ、十分な送風量を確保することができる。そして、冷却器の風下に発熱部品を配置せずに済むので、エネルギーのロスを抑えることができる。しかも、冷却器の下方に送風ファンが配置されるので、それらが前後に配置される場合に比べ、前後に大形となることもなく、冷蔵室内の背壁部の前方への突出量を少なく済ませることができる。
【発明の効果】
【００１２】
本発明の冷蔵庫によれば、冷蔵庫本体の背壁部に、冷却器及び送風ファン並びに吹出しダクトを配設したものにあって、送風ファンを冷却器よりも風上であって且つ冷却器よりも下方に配置する構成としたので、ダクト構成を簡単に済ませることができると共に、高い冷却効率を得ることができ、しかもユーザに圧迫感を与えることなく庫内の収納容積を十分に確保することができるという優れた効果を奏するものである。
【図面の簡単な説明】
【００１３】
【図１】本発明の一実施例を示すもので、冷蔵庫本体の概略的な縦断右側面図
【図２】各室の扉等を除いて示す冷蔵庫本体の正面図
【図３】冷蔵室及び野菜室部分の縦断側面図
【図４】冷蔵室の内底部の斜視図（ａ）及び仕切板を取除いた野菜室部分の斜視図（ｂ）
【図５】従来例を示す冷蔵庫本体の正面図（ａ）及び縦断右側面図（ｂ）
【図６】別の従来例を示す冷蔵室の要部の正面図（ａ）及びその背壁部部分の縦断右側面図（ｂ）
【発明を実施するための形態】
【００１４】
以下、本発明の一実施例について、図１ないし図４を参照しながら説明する。まず、図１及び図２は、本実施例に係る冷蔵庫の本体２１の構成を概略的に示している。この冷蔵庫本体２１は、前面が開口した縦長矩形箱状の断熱箱体２２内に、上段から順に、冷蔵室２３、野菜室２４、冷凍室２５を設けて構成されている。前記冷蔵室２３と野菜室２４との間は、図３、図４にも示すように、仕切壁２６により上下に仕切られている。
【００１５】
また、前記野菜室２４と冷凍室２５との間は、断熱仕切壁２７により上下に仕切られている。詳しい図示及び説明は省略するが、前記冷凍室２５は、さらに、上下２段に仕切られると共に、そのうち上段部が左右２室に仕切られ、そのうち左側の室が、自動製氷機を備えた製氷室とされている。前記冷蔵室２３の前面部には、ヒンジ開閉式の断熱扉２３ａが設けられ、野菜室２４の前面には引出し式の断熱扉２４ａが設けられる。この断熱扉２４ａの背面部には、貯蔵容器２８（図３、図４参照）が連結されている。また、前記冷凍室２５の各室（区画）の前面部にも、背面部に貯蔵容器２５ｂが連結された引出し式の断熱扉２５ａが設けられている。
【００１６】
さらに、前記冷蔵室２３内は、図１〜図３に示すように、棚板２９により上下に複数段に区切られると共に、その最下部（前記仕切壁２６の上部）にチルド室３０が設けられている。図１，図３に示すように、前記チルド室３０には、引出し式の貯蔵容器（チルドケース）３１が出し入れ可能に設けられている。冷蔵室２３内の天井部には、庫内灯４８が設けられている。尚、前記冷蔵室２３は、例えば２℃の温度帯とされ、前記チルド室３０は例えば０℃の温度帯とされる。前記野菜室２４は、例えば４℃の温度帯とされ、前記冷凍室２５は、例えばマイナス１８℃の温度帯とされるようになっている。
【００１７】
この冷蔵庫本体２１内には、全体として詳しく図示はしないが、前記冷蔵室２３及び野菜室２４を冷却するための冷蔵室用冷却器３２と、前記冷凍室２５を冷却するための冷凍室用冷却器３３との２つの冷却器を備える冷凍サイクルが組込まれる。このとき、それら冷却器３２，３３は、横幅が比較的広く、吸熱面積の大きい（冷却性能の高い）ものとされている。図１に示すように、冷蔵庫本体２１の下端部背面側には、機械室３４が設けられ、詳しく図示はしないが、この機械室３４内に、冷凍サイクルを構成する圧縮機４９及び凝縮器などが配設されていると共に、それらを冷却するための冷却ファンや、除霜水蒸発皿などが配設されている。冷蔵庫本体２１の背面下部寄り部分には、全体を制御するマイコン等を実装した制御基板５０が設けられている。
【００１８】
図１、図２に示すように、冷蔵庫本体２１内の前記冷凍室２５の背壁部には、冷凍室用冷却器室３５が設けられている。この冷凍室用冷却器室３５内に、下部に位置して前記冷凍室用冷却器３３や除霜用ヒータ（図示せず）等が配設されていると共に、上部に位置して冷凍用送風ファン３６が配設されている。冷凍室用冷却器室３５の前面の中間部には、冷気吹出口３５ａが設けられ、下端部には、戻り口３５ｂが設けられている。
【００１９】
これにて、冷凍用送風ファン３６が駆動されると、冷凍室用冷却器３３により生成された冷気が、前記冷気吹出口３５ａから冷凍室２５内に供給された後、前記戻り口３５ｂから冷凍室用冷却器室３５内に戻されるといった循環を行うようになっている。尚、冷凍室用冷却器室３５内の冷凍室用冷却器３３の下方部には、冷凍室用冷却器３３からの除霜水を受ける水受部３７が設けられ、その水受部３７に受けられた除霜水は、前記機械室３４内の除霜水蒸発皿に導かれ、蒸発するようになっている。
【００２０】
さて、冷蔵庫本体２１の背壁部には、前記冷蔵室用冷却器３２や、この冷蔵室用冷却器３２により生成された冷気を前記冷蔵室２３内に供給する吹出しダクト３８、前記冷気を循環させるための送風ファン３９等が、以下のようにして配設される。即ち、図１〜図３に示すように、冷蔵庫本体２１の背壁部には、前記冷蔵室２３の最下段のチルド室３０の後方に位置して、冷蔵室用冷却器室４０が設けられ、この冷蔵室用冷却器室４０内に冷蔵室用冷却器３２が配設されている。
【００２１】
この冷蔵室用冷却器室４０の前壁部４０ａ（チルド室３０の後壁部）は、断熱性を有したものとされている。前記冷蔵室用冷却器室４０の上端部は、冷蔵室２３の背壁部を一定の幅で上方に延びるように設けられた吹出しダクト３８の下端部につながっている。図２、図３に示すように、この吹出しダクト３８には、冷蔵室２３内で開口する複数個の吹出口３８ａが設けられている。また、図１、図３に示すように、内の底部には、冷蔵室用冷却器３２の下方に位置して、該冷蔵室用冷却器３２からの除霜水を受ける水受部４１が設けられている。この水受部４１に受けられた除霜水は、前記機械室３４内の除霜水蒸発皿に導かれ、蒸発するようになっている。
【００２２】
そして、図３等に示すように、前記野菜室２４の後方に位置して、送風ファン３９が配設されていると共に、送風ダクト４２及び吸込みダクト４３が設けられている。そのうち送風ダクト４２は、野菜室２４の背面側に位置して、上端部が前記水受部４１を迂回して冷蔵室用冷却器室４０の下端部前面側に連通するように、前記吹出しダクト３８と同等の幅で上下方向に延びて設けられている。
【００２３】
この送風ダクト４２の下端部前面側には、左右方向中央部に位置してベルマウス４４が設けられ、このベルマウス４４内に送風羽根が位置するように、前記送風ファン３９が設けられている。この送風ファン３９は、前方から空気を吸って、外周側（上方）に吐出するように構成されている。また、この送風ファン３９は、前記冷蔵室用冷却器３２よりも若干前方に配置されるように設けられている。従って、送風ダクト４２は、側方から見て、ほぼ真直ぐに上方に延びた後、上端が若干量だけ折曲がって冷蔵室用冷却器室４０の下端部前面側につながっている。
【００２４】
さらに、図３に示すように、前記送風ダクト４２の前面側に、前後に二重に重なるように、吸込みダクト４３が設けられている。この吸込みダクト４３は、やはり前記吹出しダクト３８と同等の幅で、野菜室２４の天井部から送風ファン３９よりもやや下方まで延びて設けられている。このとき、図４にも示すように、吸込みダクト４３の上端部は、冷蔵室２３（チルド室３０）の底部の背面側に横長状に形成された吸込口４５に連通している。また、図３に示すように、吸込みダクト４３の底部には、開口部４３ａが設けられている。
【００２５】
尚、図３、図４に示すように、冷蔵室２と野菜室２４とを区画する仕切壁２６部分には、冷蔵室２３からの冷気の一部を野菜室２４内に導くための冷気供給ダクト４６が設けられている。図４（ｂ）に示すように、この冷気供給ダクト４６は、仕切壁２６の右半部に位置して前後方向に延びて設けられ、図３にも示すように、前端部に前部供給口４６ａを有すると共に、後端部に後部供給口４６ｂを有している。この冷気供給ダクト４６は、その後端部の右端部が、図４（ａ）にも示すように、仕切壁２６の前記吸込口４５の右側に設けられた連通部４７によって冷蔵室２３と連通している。これにて、冷蔵室２３内の冷気の一部が冷気供給ダクト４６を通って野菜室２４内の前部（ペットボトル入りの飲料が収納される部分）や後部に供給されるようになっているのである。
【００２６】
上記構成においては、前記送風ファン３９が駆動されると、図３に黒矢印で示すように、冷蔵室２３内の空気が吸込口４５から吸込みダクト４３内に吸込まれると共に、野菜室２４内の空気が開口部４３ａを通して吸込みダクト４３内に吸込まれ、送風ダクト４２を通って冷蔵室用冷却器室４０内に導かれる。そして、白抜きの矢印で示すように、冷蔵室用冷却器３２により冷気が生成され、その冷気が吹出しダクト３８を通して各吹出口３８ａから冷蔵室２３内に供給される。
【００２７】
冷蔵室２３内に供給された冷気は、収納物（食品）の冷却に寄与した後、吸込口４５から吸込みダクト４３内に吸込まれる、或いは、連通部４７から冷気供給ダクト４６を通って野菜室２４内に供給され、収納物（野菜など）の冷却に寄与した後、開口部４３ａから吸込みダクト４３内に吸込まれるという循環を繰返すのである。このとき、前記送風ファン３９は、冷蔵室用冷却器３２よりも風下であって、且つ、該冷蔵室用冷却器３２よりも下方に配置されている。また、送風ファン３９は、水受部４１よりも下方であって、冷蔵室用冷却器３２よりもやや前側に配置されている。
【００２８】
このような本実施例の冷蔵室用冷却器３２周辺の構造においては、次のような作用・効果を得ることができる。即ち、冷蔵室２３の背面部に冷気を供給するために設けられる吹出しダクト３８を、冷蔵室用冷却器３２が収容された冷蔵室用冷却器室４０から、上方に向けて均等な幅でストレートに延びる単純な形状（構成）のものとすることができた。従って、図５に示したような、冷気通路を上下に折返す形状としていた従来のものと異なり、十分な送風量を確保することができる。
【００２９】
そして、冷蔵室用冷却器３２と吹出しダクト３８の各吹出口３８ａとの間の距離を比較的短くすることができると共に、冷蔵室用冷却器３２の風下に、発熱部品（送風ファンのモータ）が存在しないので、吹出しダクト３８の各吹出口３８ａから冷蔵室２３内に十分に低温の冷気を供給することができ、冷却効率を良好とすることができる。このとき、発熱部品（モータ）を含む送風ファン３８は、冷蔵室用冷却器３２よりも風上であって、冷蔵室２３（及びチルド室３０）に比べて温度の高い野菜室２４の後方に配設されていると共に、最も低温となる冷蔵室用冷却器３２が、冷蔵室２３や野菜室２４に比べて低温のチルド室３０の後方に配置されている。従って、各部品の配置を、冷蔵室２３、チルド室３０、野菜室２４の温度分布に対応したものとすることができ、各室に適した冷却性能を得ることができ、併せて断熱構造なども簡単に済ませることができる。
【００３０】
また、冷蔵室２３のうち、チルド室３０を除く部分の背面部には、冷却器や送風ファンが配設されることはなく、厚みの比較的薄い吹出しダクト３８のみが配設されるので、冷蔵室２３内を奥行き方向に広くすることができ、食品の収納容積を大きく確保することができる。また、ユーザにとっての見た目もすっきりとして広々としたものとすることができる。この場合、チルド室３０の背面部は、冷蔵室用冷却器室４０が設けられる分だけ前方に突出することになるが、冷却器室と送風ファンとを前後に二重に配置するものではないので、断熱壁からなる前壁部４０ａを比較的薄く済ませることができることと併せて、この部分の前方への突出量を比較的小さくすることができる。
【００３１】
同様に、野菜室２４の背面部も、送風ファン３９などが設けられるため、前方に突出することになるが、冷却器室と送風ファンとを前後に二重に配置するものに比べて、前方への突出量は比較的小さい。そして、これらチルド室３０及び野菜室２４は、共に、貯蔵容器３１及び２８を夫々出し入れする引出し式に構成されているので、突出した背面部をユーザが見ることは少なく、ユーザに圧迫感を与えることを未然に防止することができるのである。
【００３２】
さらに、本実施例では、野菜室２４の背壁部には、吸込みダクト４３と送風ダクト４２とが前後に二重に重なって設けられているので、断熱材製の壁を設けることなく、吸込みダクト４３内をいわば断熱空間として作用させることができる。つまり、例えば送風ファン３９の停止時には、冷蔵室用冷却器室４０内（冷蔵室用冷却器３２）の冷気が、送風ダクト４２内に降りてくることがあるが、吸込みダクト４３によって一定の断熱が図られ、野菜室２４内の温度が必要以上に低下することを未然に防止することができる。これと共に、吸込みダクト４３の前面（野菜室２４内の背面）に結露が生じることも抑えることができる。
【００３３】
しかも、送風ダクト４２を、冷蔵室用冷却器３２からの除霜水を受けるための水受部４１を迂回するように設ける必要があるが、本実施例では、送風ファン３９を冷蔵室用冷却器３２よりも前方に配置したことにより、送風ダクト４２を側方から見て必要以上に折曲がった形状とすることはなく、送風ファン３９から冷蔵室用冷却器室４０に向けてスムーズに送風を行うことができる。水受部４１を設けたことにより、冷蔵室用冷却器３２から流下した除霜水（露）が送風ファン３９等にかかることがないことは勿論である。
【００３４】
尚、上記実施例では、冷蔵室用冷却器３２と冷凍室用冷却器３３との２つの冷却器を備えた冷蔵庫に本発明を適用したが、冷蔵庫本体内に１個の冷却器を備え、ダンパ装置等により各室への冷気流通の制御を行うタイプの冷蔵庫にも本発明を適用することができる。その他、本発明は上記一実施例に限定されるものではなく、例えば冷蔵庫本体内の各室の構成（配置）や、冷却器等を設ける位置、ダクト構成等についても種々の変形が可能であるなど、要旨を逸脱しない範囲内で適宜変更して実施し得るものである。
【符号の説明】
【００３５】
図面中、２１は冷蔵庫本体、２３は冷蔵室、２４は野菜室、２６は仕切壁、２８は貯蔵容器、３０はチルド室、３１は貯蔵容器、３２は冷蔵室用冷却器、３８は吹出しダクト、３８ａは吹出口、３９は送風ファン、４０は冷蔵室用冷却器室、４１は水受部、４２は送風ダクト、４３は吸込みダクト、４３ａは開口部を示す。
【図１】
2010223509.tif 000003
【図２】
2010223509.tif 000004
【図３】
2010223509.tif 000005
【図４】
2010223509.tif 000006
【図５】
2010223509.tif 000007
【図６】
2010223509.tif 000008